Podtech/llm-jp-corpus-v4-ja_patent huggingface dataset:
【手続補正書】
【提出日】平成22年4月14日(2010.4.14)
【手続補正１】
【補正対象書類名】特許請求の範囲
【補正対象項目名】全文
【補正方法】変更
【補正の内容】
【特許請求の範囲】
【請求項１】
ラクトバチルス・ロイテリ菌株ＤＳＭ  １７９３８の生物学的純粋培養物。
【請求項２】
ラクトバチルス・ロイテリ菌株ＤＳＭ  １７９３８の生物学的純粋培養物及び摂取可能な担体を含む、乳児仙痛を低減するための製品。
【請求項３】
乳児仙痛を低減するための製品を製造するための、ラクトバチルス・ロイテリ菌株ＤＳＭ  １７９３８の生物学的純粋培養物の使用。
【手続補正書】
【提出日】平成22年2月9日(2010.2.9)
【手続補正１】
【補正対象書類名】特許請求の範囲
【補正対象項目名】全文
【補正方法】変更
【補正の内容】
【特許請求の範囲】
【請求項１】
ラクトバチルス・ロイテリＤＳＭ１７９３８の生物学的に純粋な培養物。
【請求項２】
ラクトバチルス・ロイテリＤＳＭ１７９３８の生物学的に純粋な培養物を含む組成物。
【請求項３】
ラクトバチルス菌株からプラスミドを除去するステップを含む、ラクトバチルス菌株の耐酸性を増大させる方法。
【請求項４】
ラクトバチルス菌株がラクトバチルス・ロイテリの菌株である、請求項３に記載のラクトバチルス菌株の耐酸性を増大させる方法。
【請求項５】
ラクトバチルス菌株からプラスミドを除去するステップを含む、ヒトの胃でより良好にコロニーを形成することができるラクトバチルス菌株を提供する方法。
【請求項６】
ラクトバチルス菌株がラクトバチルス・ロイテリの菌株である、請求項５に記載のヒトの胃でより良好にコロニーを形成することができるラクトバチルス菌株を提供する方法。
【請求項７】
プラスミドが除去されているラクトバチルス菌株を含むプロバイオティック製品。
【請求項８】
全プラスミドが除去されている、請求項７に記載のプロバイオティック製品。
【請求項９】
菌株がラクトバチルス・ロイテリの菌株である、請求項７に記載のプロバイオティック製品。
【請求項１０】
菌株がラクトバチルス・ロイテリＤＳＭ１７９３８である、請求項９に記載のプロバイオティック製品。
【手続補正書】
【提出日】平成22年5月25日(2010.5.25)
【手続補正１】
【補正対象書類名】特許請求の範囲
【補正対象項目名】全文
【補正方法】変更
【補正の内容】
【特許請求の範囲】
【請求項１】
入力電荷源（ＶＸ）に直列かつ直接に連結され、入力電荷を保持する入力電荷保持素子と、
出力電荷を保持する出力電荷保持素子と、
入力端子、出力端子および制御端子を有する電荷転送素子であって、前記入力端子は、前記入力電荷保持素子からの電荷を受け取るように連結されているが、前記入力電荷源（ＶＸ）には直接連結されておらず、前記出力端子は、前記制御端子に印加される電荷転送制御信号によって制御されて前記出力電荷保持素子に電荷を提供するように、連結されている、電荷転送素子と、
前記入力電荷保持素子に連結されている入力端子、および、前記電荷転送素子の前記制御端子に連結されている出力端子を有し、前記電荷転送制御信号を提供する増幅器とを備えた、電荷転送装置。
【請求項２】
請求項１において、前記増幅器は少なくとも１０倍の利得を有する、電荷転送装置。
【請求項３】
請求項１において、前記増幅器はＮＦＥＴおよびＰＦＥＴを備え、これらＦＥＴは、ソースが共通ノードに接続されている共通ソースの構成を有し、前記共通ノードは前記増幅器の前記出力端子を提供する、電荷転送装置。
【請求項４】
請求項３において、前記ＰＦＥＴのドレイン端子は供給電圧に接続され、前記ＮＦＥＴのドレイン端子はグラウンド電圧に接続され、前記ＰＦＥＴのゲート端子はバイアス電圧に接続され、前記ＮＦＥＴのゲート端子は前記電荷転送素子の入力端子に接続されている、電荷転送装置。
【請求項５】
請求項３において、前記ＮＦＥＴと前記ＰＦＥＴの共通のソース端子が前記電荷転送素子のゲート端子に接続されている、電荷転送装置。
【請求項６】
請求項３において、さらに、
前記ＮＦＥＴと前記電荷転送素子の前記入力端子との間に連結されたソースフォロワＰＦＥＴを備えた、電荷転送装置。
【請求項７】
請求項３において、さらに、
前記電荷転送素子の前記入力端子と前記ＮＦＥＴとの間に連結された第２のＮＦＥＴを備えた、電荷転送装置。
【請求項８】
請求項１において、さらに、
前記入力電荷保持素子と入力電圧源との間に連結された第１の抵抗素子と、
前記入力電荷保持素子と前記電荷転送素子との間に連結された第２の抵抗素子とを備えた、電荷転送装置。
【請求項９】
請求項１において、さらに、
前記増幅器の前記出力端子と基準電圧の間に連結された、前記電荷転送素子のオンおよびオフの時間を制御する電流制御ＦＥＴを備えた、電荷転送装置。
【請求項１０】
請求項９において、さらに、
前記ＰＦＥＴと前記電圧源の間に連結された電力制御ＦＥＴを備えた、電荷転送装置。
【請求項１１】
請求項１において、さらに、
第１の入力電圧源と前記入力電荷保持素子の間に直列に連結された第１の入力電荷制御スイッチと、
前記電荷転送素子の前記入力端子と第２の電圧源の間に直列に連結された第２の入力電荷制御スイッチとを備えた、電荷転送装置。
【請求項１２】
請求項１において、前記電荷転送素子が、基板内に形成された拡散領域を備え、この基板上には第１の制御電極が形成されて、この第１の制御電極が前記電荷転送素子の入力端子を提供する、電荷転送装置。
【請求項１３】
請求項１２において、さらに、前記基板上に形成された第２の制御電極を備え、この第２の制御電極が前記出力電荷保持素子の端子を提供する、電荷転送装置。
【請求項１４】
請求項１において、さらに、
前記増幅器の出力端子に連結された電流源を備えた、電荷転送装置。
【請求項１５】
請求項１４において、さらに、
前記電荷転送素子の前記入力端子と前記ゲート端子の間で電圧を分離するように構成された電圧バッファを備えた、電荷転送装置。
【請求項１６】
請求項１において、さらに、
前記入力電荷保持素子の第１の端子に連結された抵抗素子を備えた、電荷転送装置。
【請求項１７】
請求項１６において、前記抵抗素子が、前記入力電荷保持素子と前記出力電荷保持素子の間の電荷転送中における非線形信号歪を低減するように構成されている、電荷転送装置。
【請求項１８】
請求項１７において、前記抵抗素子は前記入力電荷保持素子と前記電荷転送素子の入力端子の間に直列に連結されている、電荷転送装置。
【請求項１９】
請求項１７において、前記抵抗素子は入力電圧と前記入力電荷保持素子の間に連結されている、電荷転送装置。
【請求項２０】
請求項１７において、さらに、
前記入力電荷保持素子の第２の端子に連結された追加の抵抗素子を備えた、電荷転送装置。
【請求項２１】
請求項１において、さらに、
電力スイッチ制御信号に応答して、前記電荷転送素子および前記電流源の一方または両方を通る電流を無効にするスイッチを備えた、電荷転送装置。
【請求項２２】
請求項２１において、前記スイッチは、スイッチ制御信号に応答して、前記電荷転送素子を通る電流を無効にする、電荷転送装置。
【請求項２３】
請求項２２において、前記増幅器は前記増幅器の出力端子に連結された電流源を備え、前記スイッチは、スイッチ制御信号に応答して、前記電流源を通る電流を無効にする、電荷転送装置。
【請求項２４】
入力電荷源（ＶＸ）に直列に連結され、入力電荷を保持する入力電荷保持素子と、
電荷結合素子であって、
入力端子、出力端子および制御端子を有する第１構成要素であって、前記入力端子は、前記入力電荷保持素子からの電荷を受け取るように連結されているが、前記入力電荷源（ＶＸ）には直接連結されておらず、前記出力端子は、前記制御端子に印加される電荷転送制御信号によって制御されて電荷を提供するように、連結されている、第１構成要素、および
出力電荷を保持する第２構成要素であって、前記第１構成要素から電荷を受け取るように連結されている第２構成要素を有する、電荷結合素子と、
前記入力電荷保持素子に連結されている入力端子、および、前記電荷転送素子の前記制御端子に連結されている出力端子を有し、前記電荷転送制御信号を提供する増幅器とを備えた、電荷転送装置。
【請求項２５】
請求項２４において、さらに、
前記出力端子に連結された電流源を備えた、電荷転送装置。
【請求項２６】
請求項２４において、さらに、
前記入力電荷保持素子に連結され、前記入力電荷保持素子と前記電荷結合素子の第２構成要素の間の電荷転送中における非線形信号歪を低減するように構成された抵抗素子を備えた、電荷転送装置。
【手続補正書】
【提出日】平成22年5月27日(2010.5.27)
【手続補正１】
【補正対象書類名】明細書
【補正対象項目名】００１８
【補正方法】変更
【補正の内容】
【００１８】
第一コンパートメントデバイダー６’が開くと、コンパートメントＢとともにコンパートメントＡの体積が増加するので流圧は下降する。バッグ内にさらに液体を導入し続けることにより、内部の流圧は、所定の第二圧まで上昇し、これにより、コンパートメントＢとコンパートメントＣとの間の第二コンパートメントデバイダー６’’が開き、コンパートメントＢとコンパートメントＣ間の連通を提供する。したがって、コンパートメントＡおよびＢの内容物とコンパートメントＣの内容物との第二の混合が提供される。
【手続補正２】
【補正対象書類名】明細書
【補正対象項目名】００２４
【補正方法】変更
【補正の内容】
【００２４】
他の実施形態において、コンパートメントデバイダーを開けるために用いられた液体は、空気又は窒素ガス等の加圧された気体であってもよい。この場合、かかる液体は、最終的な液体の準備に関係することはないが、コンパートメントの内容物を混ぜるため、コンパートメントデバイダー６’ならびに６’’を開けるためだけに用いられる。ある実施形態において、低い位置にあるコンパートメントＡは水を有し、第二コンパートメントは、混合がなされる際に溶液に溶けるパウダーを有する。最後に、コンパートメントＣは、コンパートメントデバイダーが破壊され、混合がなされる際に溶液に溶ける、別の粉末を有してもよい。
【手続補正３】
【補正対象書類名】明細書
【補正対象項目名】００４０
【補正方法】変更
【補正の内容】
【００４０】
図７に基づくバッグ７０の一実施形態において、図６に図示されたバッグは、さらに、第二アウトレットチューブ７２に接続する第二アウトレットコネクター７１を備えている。インレットコネクター７３は、バッグからインレットチューブ７４内への逆流を防止するため逆止弁を有している。前記第二アウトレットコネクター７１も、第二アウトレットチューブ７２からバッグ内への逆流を防止するため逆止弁を有している。インレットチューブ７４および／又はアウトレットチューブ７２に、再循環ポンプ（図示せず）を接続することにより、第二アウトレットコネクター７１を介して混合物を交互に排出し、インレットコネクター７３を介してバッグ内に押し入れることで、バッグが水とバッグの内容物を混合させることを可能とする。混合が完了し、混合溶液が得られた後、かかる混合溶液は、バッグの上コンパートメント内の第一アウトレットコネクター７５を介して、透析回路に提供される。
【手続補正４】
【補正対象書類名】明細書
【補正対象項目名】００８８
【補正方法】変更
【補正の内容】
【００８８】
図１１に基づく別の実施形態においては、４つのバッグ１１１、１１２、１１４、１１５および２つの溶液供給容器１１３、１１６を備えたシステム１１０が設けられている。第一バッグ１１１および第二バッグ１１２は、第一溶液供給容器１１３に接続されている。また、第三バッグ１１４および第四バッグ１１５は、第二溶液供給容器１１６に接続されている。このシステムは、透析治療用の、サブシステムにおいて溶液供給容器１１３等に接続するＡ−濃縮物、ならびに、サブシステムにおいて溶液供給容器１１６等に接続するＢ−濃縮物の両方を得ることを可能にする。次に、溶液供給容器１１３、１１６は、従来の透析器の各濃縮物用の流入口に接続される。
【手続補正書】
【提出日】平成22年5月24日(2010.5.24)
【手続補正１】
【補正対象書類名】明細書
【補正対象項目名】００１６
【補正方法】変更
【補正の内容】
【００１６】
【図１】上から見たバランスボードの一実施形態の全体的な斜視図である。
【図２】下から見た図１のバランスボードの全体的な斜視図である。
【図３】図１および２のバランスボードの上平面図である。
【図４】図１〜３のバランスボードの下側平面図である。
【図５】図１〜４のバランスボードの側面図である。
【図６】図１〜５のバランスボードの端面図である。
【図７】バランスボードがどのようにボールと協働するのかを示す、図５にほぼ類似する図である。
【図８ａ】ユーザがどのようにしてボードの上で種々の位置を取りつつバランスを維持のかを示す概略図である。
【図８ｂ】ユーザがどのようにしてボードの上で種々の位置を取りつつバランスを維持のかを示す概略図である。
【図８ｃ】ユーザがどのようにしてボードの上で種々の位置を取りつつバランスを維持のかを示す概略図である。
【図８ｄ】ユーザがどのようにしてボードの上で種々の位置を取りつつバランスを維持のかを示す概略図である。
【図８ｅ】ユーザがどのようにしてボードの上で種々の位置を取りつつバランスを維持のかを示す概略図である。
【図８ｆ】ユーザがどのようにしてボードの上で種々の位置を取りつつバランスを維持のかを示す概略図である。
【図９】エンドレス壁のより大きな縮尺の平面図である。
【図１０】壁をボードの下側に適切に連結させるための皿穴の位置を示す、図９の壁の１／４セグメントの拡大図である。
【図１１】図１０の直線ＸＩ−ＸＩに沿って切り取った断面図である。
【図１２】上から見たバランスボードの第２の実施形態の全体的な斜視図である。
【図１３】下から見た図１２のバランスボードの全体的な斜視図である。
【図１４】図１２および１３のバランスボードの上平面図である。
【図１５】図１２〜１４のバランスボードの下側平面図である。
【図１６】バランスボードがどのようにボールと協働するのかを示す、図１２〜１５のバランスボードの側面図である。
【図１７】図１５の直線ＸＩＩ−ＸＩＩに沿って切り取った拡大断面図である。
【手続補正２】
【補正対象書類名】明細書
【補正対象項目名】００３２
【補正方法】変更
【補正の内容】
【００３２】
壁１０５の寸法は、第１の実施形態の垂下する壁部分５の内部の寸法と同じでよい。実際には、ボードの第２の実施形態はボードの境界へと広がる垂下する壁部分を有する。
【手続補正３】
【補正対象書類名】図面
【補正対象項目名】図３
【補正方法】変更
【補正の内容】
【図３】
2009539530.tif 000001
【手続補正４】
【補正対象書類名】図面
【補正対象項目名】図９
【補正方法】変更
【補正の内容】
【図９】
2009539530.tif 000002
【手続補正５】
【補正対象書類名】図面
【補正対象項目名】図１１
【補正方法】変更
【補正の内容】
【図１１】
2009539530.tif 000003
【手続補正書】
【提出日】平成22年5月11日(2010.5.11)
【手続補正１】
【補正対象書類名】特許請求の範囲
【補正対象項目名】全文
【補正方法】変更
【補正の内容】
【特許請求の範囲】
【請求項１】
ユーザの上顎歯列に適合する上側トレイと、
各々がユーザの下顎歯列に適合する複数の下側トレイであって、少なくとも該下側トレイのいくつかが前記上側トレイに係合するように構築され、かつ当該下側トレイの各々が様々な固定量の下顎誘導が可能なように構築される複数の下側トレイと、
を備える、口腔装置システム。
【請求項２】
前記上側トレイは、
上部成形可能素材と、
前記上部成形可能素材の一部を担持する上部領域を規定するように構築される上側支持部材と、を備える請求項１に記載の口腔装置システム。
【請求項３】
前記上側支持部材は、接着表面および咬合表面を備えるベースと、前面および後面を備える外壁と、前面および後面を備える内壁と、を含み、上部領域の少なくとも一部は、前記ベースの接着表面と、前記外壁の後面と、前記内壁の前面と、によって規定される請求項２に記載の口腔装置システム。
【請求項４】
前記上部成形可能素材は、ユーザの歯列をその中央に位置決めするように構築された溝を有し、当該溝は、ユーザの上顎歯列の前方部分に係合するように構築される実質的にV字型の部分およびユーザの上顎歯列の後方部分に係合するように構築される実質的にU字型の部分を含む、請求項２に記載の口腔装置システム。
【請求項５】
前記下側トレイの各々は、
下段成形可能素材と、
前記下段成形可能素材の一部を担持するように適合している下部領域を規定するように構築されている下段支持部材と、を備える請求項１に記載の口腔装置システム。
【請求項６】
前記下段支持部材は、接着表面および咬合表面を備えるベースと、前面および後面を備える外壁と、前面および後面を備える内壁と、を含み、前記下段領域の少なくとも一部は、前記ベースの接着表面と、前記外壁の後面と、前記内壁の前面と、によって規定される、請求項５に記載の口腔装置システム。
【請求項７】
前記上側トレイは当該トレイから延在している穴あき係合部材を有し、前記下側トレイの少なくともいくつかの各々は該トレイから延在している細長い係合部材を有し、前記穴あき係合部材は前記下側トレイから選択された1つの細長い係合部材を受けるように構築され、かつ、前記下側トレイから選択された1つに前記上側トレイを着脱可能に連結するように構築される、請求項１に記載の口腔装置システム。
【請求項８】
前記穴あき係合部材と前記細長い係合部材との少なくとも一方は、もろい部分を含む、請求項７に記載の口腔装置システム。
【請求項９】
前記穴あき係合部材および前記細長い係合部材は、前記下側トレイから選択された1つに対して、前記上側トレイの所定量の側面移動および所定量の垂直移動が可能となるように協働する、請求項７に記載の口腔装置システム。
【請求項１０】
前記各々の下側トレイは前記上側トレイと組み合わされ、かつユーザの上顎歯列と下顎歯列との間の垂直間隔の量が与えられるように構築される、請求項１に記載の口腔装置システム。
【請求項１１】
前記上側トレイの少なくともと1つと前記複数の下側トレイのいくつかとに係合するように構築される保持トレイを更に備えている、請求項１に記載の口腔装置システム。
【請求項１２】
ユーザの上顎歯列へ適合する上側トレイと、各々がユーザの下顎歯列へ適合する下側トレイであって、少なくとも該下側トレイのいくつかの各々が様々な固定量の下顎誘導が可能なように前記上側トレイに連結されるべく構築される複数の下側トレイと、を備える口腔装置組立体を提供し、
前記複数の下側トレイの少なくとも1つを選択し、
所望量の下顎誘導を有する口腔装置を形成するために前記上側トレイに対して前記下側トレイの選択された1つを連結する、ユーザの気道に開通性をもたらす方法。
【請求項１３】
前記上側トレイおよび前記選択された下側トレイをユーザの口に挿入することを備える請求項１２に記載の方法。
【請求項１４】
前記口腔装置組立体を提供することは、ユーザの上顎歯列に合致するような前記上側トレイの少なくとも1つの装着と、前記ユーザの下顎歯列に対する下側トレイの少なくとも1つの装着と、を含む請求項１２に記載の方法。
【請求項１５】
前記口腔装置組立体を提供することはさらに、
上部成形可能素材を有する上側トレイと、前記上部成形可能素材の一部を担持するように構成される上部領域を規定するように構築される上側支持部材と、を提供し、
下段成形可能素材を有する下側トレイと、前記下段成形可能素材の一部を担持するように構成される下部領域を規定するように構築される下段支持部材と、を提供する、ことを含み、
前記上側支持部材と前記下段支持部材と前記上部成形可能素材と前記下段成形可能素材とのうち少なくとも一つは、そこから延在している多数の電極を有する、請求項１２に記載の方法。
【手続補正書】
【提出日】平成22年5月10日(2010.5.10)
【手続補正１】
【補正対象書類名】特許請求の範囲
【補正対象項目名】全文
【補正方法】変更
【補正の内容】
【特許請求の範囲】
【請求項１】
患者インタフェース装置と、
患者通知装置と、
患者情報を入力する入力装置と、
前記入力装置を介して患者から指定された情報を収集するように、前記患者インタフェースを介して患者に指示を提示することが後に続く、前記患者通知装置を作動するためにプロセッサによって実行可能な少なくとも１つのアルゴリズムをその中に記憶したメモリに電気的に結合されるプロセッサを含む情報収集部と、
を備える糖尿病療法を決定し得る患者情報を収集するシステム。
【請求項２】
前記患者インタフェース装置、前記患者通知装置、および前記入力装置が、それぞれ前記情報収集部によって運ばれ、それぞれ前記プロセッサに電気的に接続される請求項１記載のシステム。
【請求項３】
前記情報収集部のプロセッサが、前記メモリ装置に患者情報を記憶するように構成され、
前記患者情報が、患者が消費する食物のタイミングおよび炭水化物量、患者のグルコース濃度、患者が受けるインシュリン、および患者の物理的な状態に関する情報を含む、
請求項１または２記載のシステム。
【請求項４】
前記情報収集部とは別個の電子デバイスであって、前記患者インタフェースと前記入力装置とを含む電子デバイスと、
前記情報収集装置から前記電子デバイスに指示を転送する、および前記電子デバイスから前記情報収集装置に患者情報を転送する手段と、
をさらに備える請求項１記載のシステム。
【請求項５】
患者インタフェース装置と、
患者情報を修正する入力装置と、
入力装置を介して患者情報の対応する実際の値でデフォルト値のどれかを置き換えするために、前記患者インタフェース装置を介して患者に指示を提示することが後に続く、前記患者インタフェース装置を介して患者に患者情報の少なくともいくらかのデフォルト値を提示するためにプロセッサによって実行可能な少なくとも１つのアルゴリズムをその中に記憶したメモリに電気的に結合されたプロセッサを含む情報収集部と、
を備える糖尿病療法を決定し得る患者情報を収集するシステム。
【請求項６】
前記患者情報が前記情報収集部のメモリに記憶され、
前記患者情報が、患者が消費する食物のタイミングおよび炭水化物量、患者のグルコース濃度、患者が受けるインシュリン、および患者の物理的な状態に関する情報を含む、
請求項５記載のシステム。
【請求項７】
患者情報をその中に入力するために患者に特定の指示で情報収集装置をプログラミングすることと、
前記指示にしたがって患者が前記情報収集装置に前記患者情報を入力し、患者情報が患者が消費する食物のタイミングおよび炭水化物量、患者が受けるインシュリンに関する情報を含むことと、
患者のための糖尿病療法を決定するために前記情報収集装置に入力された前記患者情報の少なくともいくらかを使用することと、
を含む糖尿病療法を決定し得る患者情報を収集する方法。
【請求項８】
指定された患者情報をその中に入力するために患者に特定の指示で情報収集装置をプログラミングすることと、
前記指示にしたがって前記情報収集装置の中に指定された患者情報を入力するように患者に通報するために１回または複数の所定の回数、患者通知装置を作動することと、
患者のための糖尿病療法を決定するために前記情報収集装置の中に入力された前記患者情報の少なくともいくらかを使用することと、
を含む糖尿病療法を決定し得る患者情報を収集する方法。
【請求項９】
指定された患者情報をその中に入力するために患者に特定な指示で情報収集装置をプログラミングすることと、
前記指定された患者情報のデフォルト値で前記情報収集装置をプログラミングすることと、
患者に前記デフォルト値の少なくともいくつかを提示することと、
前記指示にしたがって、前記デフォルト値が患者情報の実際値を表す場合には前記デフォルト値を受け入れ、それ以外の場合には患者情報の対応する実際値で前記デフォルト値のどれかを置き換えるように患者を促すことと、
を含む糖尿病療法を決定し得る患者情報を収集する方法。
【請求項１０】
患者に既存の患者情報記録のリストを提示するための指示で情報収集装置をプログラミングすることと、
患者に当日分の既存の患者情報記録の前記リストを提示するための前記指示を実行することと、
前記提示された前記患者情報記録のどれかの情報を修正するように患者を促すことと、
を含む糖尿病療法を決定し得る患者情報を収集する方法。
【請求項１１】
患者インタフェース装置と、
患者情報を入力する入力装置と、
患者が消費する食物のタイミングおよび炭水化物量、患者が受けるインシュリン、患者の物理的な状態に関する情報を含む前記患者情報を、前記入力装置を介して患者から収集するために前記患者インタフェース装置を介して患者に指示を提示するためにプロセッサによって実行可能な少なくとも１つのアルゴリズムをその中に記憶したメモリに電気的に結合されているプロセッサを含む情報収集部と、
を備える、糖尿病療法を決定し得る患者情報を収集するシステム。
【請求項１２】
患者の体液のグルコース濃度を測定するように構成されたグルコース測定装置をさらに含み、
前記患者情報が前記グルコース測定装置を介した患者のグルコース濃度の測定値をさらに含む請求項１１記載のシステム。
【請求項１３】
患者の体液のグルコース濃度を測定し、対応するグルコース濃度値を生成するように構成されたグルコース測定装置と、前記グルコース濃度値を前記情報収集部に自動的に転送する手段と、
をさらに含む請求項１１記載のシステム。
【請求項１４】
注入コマンドに応え、患者の体内に対応する量のインシュリンを注入するように構成されたインシュリン注入装置と、
前記情報収集部にインシュリン量を自動的に転送する手段と、
をさらに含む請求項１１記載のシステム。
【請求項１５】
前記情報収集部とは別個の電子デバイスであって、患者インタフェース装置と、前記入力装置とを含む電子デバイスと、
前記情報収集装置から前記電子デバイスに指示を転送するため、および前記電子デバイスから前記情報収集装置に患者情報を転送する手段と、
をさらに備える請求項１１記載のシステム。
【請求項１６】
前記患者情報が、患者が消費する食物の構成を含み、前記患者情報が、患者が摂取する療法に関連した薬物を含む請求項１１記載のシステム。
【手続補正書】
【提出日】平成22年6月15日(2010.6.15)
【手続補正１】
【補正対象書類名】特許請求の範囲
【補正対象項目名】全文
【補正方法】変更
【補正の内容】
【特許請求の範囲】
【請求項１】
角膜の屈折レーザー矯正手術の結果を最適化する方法であって、該方法が以下の工程：
a. 治療すべき患者のヒト角膜内の、ヘミデスモソーム結合をゆるめるのに有効な、剥
離剤を選択する工程、ここで該結合は、該角膜の前方上皮層と、該上皮層に対して後方の
、前記角膜のストロマ層との間で機能しており、および
b. 前記角膜を、眼科学的に有効な条件下で、前記剥離剤に暴露して、完全な上皮細胞
膜および前記上皮層における完全な細胞間接合に関して、継続する生存能力の維持を可能
とし、また迅速、強力かつ安定な再固定術を可能とするように、該上皮層を、可逆的に該
角膜から取出す工程、
を含むことを特徴とする、前記方法。
【手続補正書】
【提出日】平成22年4月15日(2010.4.15)
【手続補正１】
【補正対象書類名】特許請求の範囲
【補正対象項目名】全文
【補正方法】変更
【補正の内容】
【特許請求の範囲】
【請求項１】
表面に液体を均一に塗布するための用具であって、
ハンドルと、
前記ハンドルに連結されるヘッドであって、溝が形成された接触面を有する凸形の端部断面形状を含むヘッドと、を備え、
前記ハンドル及びヘッドは、前記ハンドルが水平面に対して約３０°〜約６０°の角度で傾いている間に、前記溝が形成された接触面の概ね同じ量が前記水平面と接触するように構成されている、用具。
【請求項２】
表面に液体を均一に塗布するための用具であって、
ハンドルに取り付けられるように構成されたヘッドであって、溝が形成された接触面を有する凸形の端部断面形状を含むヘッドを備え、
前記溝が形成された接触面は、中心の間隔が約０．０２〜０．０７インチである溝と、高さが約０．０２〜０．０３インチである溝とを少なくとも含む、用具。
【手続補正書】
【提出日】平成22年3月15日(2010.3.15)
【手続補正１】
【補正対象書類名】特許請求の範囲
【補正対象項目名】請求項９
【補正方法】変更
【補正の内容】
【請求項９】
充填体の、垂直に延びるエッジが、電極背室の排水のために面取りされている、請求項４から７までのいずれか１項記載の水浄化のための電解装置。
【手続補正２】
【補正対象書類名】特許請求の範囲
【補正対象項目名】請求項１０
【補正方法】変更
【補正の内容】
【請求項１０】
当該電解装置がフィルタプレスの構造形式で構成されており、相並んだ多数の独立セルからなり、各独立セルが、アノード室およびカソード室ならびにその間に位置するダイアフラムまたはイオン交換膜を備え、隣のセルに対して双極性のセル壁により閉鎖されている、請求項１記載の水浄化のための電解装置。
【手続補正３】
【補正対象書類名】明細書
【補正対象項目名】００２０
【補正方法】変更
【補正の内容】
【００２０】
装置は、膜および電極の中間室の上下に配置されているシール材料が、多数の供給部および排出部がこのシール材料を貫いて案内されることができ、理想的にはこれに螺合可能であるように成形されていることで改善され得る。
【手続補正書】
【提出日】平成22年6月11日(2010.6.11)
【手続補正１】
【補正対象書類名】特許請求の範囲
【補正対象項目名】全文
【補正方法】変更
【補正の内容】
【特許請求の範囲】
【請求項１】
材料に作業を施す装置において、経路に沿って移動可能な１つまたは複数の細長シート
であって、前記作業の少なくとも一部が内部で行われることになる移動可能な管状構造を
組み立てるために、前記細長シートの長手方向縁に沿って離脱可能に繋ぎ合わされるよう
に構成された、１つまたは複数の細長シートを備え、前記管状構造の少なくとも一部が液
体浸透性を有していることを特徴とする装置。
【請求項２】
材料をその固体成分と液体成分とに分離するように処理する装置において、１つまたは
複数の細長シートであって、液体浸透性側壁を有する管状構造を組み立てるために、前記
細長シートの長手方向縁に沿って密封可能および離脱可能に繋ぎ合わされるように構成さ
れた、１つまたは複数の細長シートと、処理される材料を前記管状構造内に導入する手段
と、前記管状構造内に収容されている材料から液体を絞り出すために、前記管状構造をそ
の長さに沿って圧縮する手段と、を備えていることを特徴とする装置。
【請求項３】
材料をその固体成分と液体成分とに分離するように処理する装置において、柔軟な液体
浸透性側壁を有する管状構造を備え、前記管状構造は、チャンバ部を画定し、前記チャン
バ部の一端は、処理される材料を受けるために開かれ、前記管状構造は、前記チャンバ部
の他端において、前記他端を通る液体流れを阻止するために、閉じ込められ、前記管状構
造の前記閉じ込めは、前記柔軟な側壁を横方向内方に収縮させ、前記側壁によって画定さ
れる断面積を減少させ、これによって、前記収縮している側壁間に収容されている材料を
加圧し、前記管状構造を成形することによって、もたらされていることを特徴とする装置
。
【請求項４】
材料を２つの箇所間に運搬する装置において、少なくとも１つのローラ構造が組み込ま
れた経路の周りに移動可能なエンドレスベルト構造を備え、前記エンドレスベルト構造は
、前記２つの箇所間に延在する管状構造に組み立てられるように構成されたエンドレスベ
ルト部を備え、運搬される材料は、前記管状構造の一端に導入され、前記管状構造に沿っ
て運搬され、前記運搬された材料は、前記管状構造の他端から排出され、前記エンドレス
ベルト構造は、前記ベルト部に接続された２つのエンドレス索要素をさらに備え、前記索
要素は、それらの間に前記ベルト部を支持するのに適するようにされ、前記ローラ構造は
、２つのホイールを備え、前記ホイールの各々は、前記索要素の各１つを案内可能に受け
るように構成された外周を有していることを特徴とする装置。
【請求項５】
少なくとも１つのローラ構造が組み込まれた経路の周りに移動可能なエンドレスベルト
構造を備える装置において、前記エンドレスベルト構造は、移動可能な管状構造を組み立
てるために、離脱可能に接続されるように構成された長手方向縁を有するエンドレスベル
ト部を備え、前記管状構造は、前記エンドレスベルト構造の移動中に、前記管状構造の一
端で連続的に組み立てられることが可能であり、前記管状構造の他端で連続的に分解され
ることが可能であり、前記エンドレスベルト構造は、前記ベルト部に接続された２つのエ
ンドレス索要素をさらに備え、前記索要素は、それらの間に前記ベルト部を支持するのに
適するようにされ、前記ローラ構造は、２つのホイールを備え、前記ホイールの各々は、
前記索要素の各１つを案内可能に受けるように構成された外周を有していることを特徴と
する装置。
【請求項６】
少なくとも１つのローラ構造が組み込まれた経路の周りに移動可能なエンドレスベルト
構造を備える装置において、前記エンドレスベルト構造は、移動可能な管状構造に組み立
てられるように構成されたエンドレスベルト部を備え、前記管状構造は、前記エンドレス
ベルト構造の移動中に、前記管状構造の一端で連続的に組み立てられることが可能であり
、前記管状構造の他端で連続的に分解されることが可能であり、前記エンドレスベルト構
造は、前記ベルト部に接続された２つのエンドレス索要素をさらに備え、前記索要素は、
それらの間に前記ベルト部を支持するように構成され、前記ローラ構造は、２つのホイー
ルを備え、前記ホイールの各々は、前記索要素の各１つを案内可能に受けるように構成さ
れた外周を有していることを特徴とする装置。
【請求項７】
請求項１〜６のいずれか一項に記載の装置を利用する、材料を処理する方法。
【請求項８】
材料をその固体成分と液体成分とに分離するように処理する方法において、１つまたは
複数の柔軟なベルトであって、各々がエンドレス経路の周りを移動可能である、１つまた
は複数の柔軟なベルトを設けるステップと、前記１つまたは複数のベルトをその長手方向
縁に沿って離脱可能に繋ぎ合わせ、液体浸透性側壁を有する管状構造を形成するステップ
と、前記管状構造の一部を収縮させ、前記管状構造内の物質を圧縮し、前記物質から液体
を絞り出すステップと、前記１つまたは複数のエンドレスベルトの前記長手方向縁間の接
続を解除し、前記管状構造内に閉じ込められている固体物質を除去するために露出させる
ステップと、を含むことを特徴とする方法。
【手続補正書】
【提出日】平成22年6月11日(2010.6.11)
【手続補正１】
【補正対象書類名】特許請求の範囲
【補正対象項目名】全文
【補正方法】変更
【補正の内容】
【特許請求の範囲】
【請求項１】
少なくとも部分的に骨と接触させて使用することに適した金属構造物を備えたインプラントであって、前記金属構造物の表面はイオン吸収材料の複数の小さな穴が存在する陽極酸化処理された硬質の酸化物を有しており、前記金属構造物の表面の少なくとも一部の前記陽極酸化処理された酸化物上には、ヒドロキシアパタイトを含有したセラミック・コーティングが堆積されており、埋め入れ後に体液の中に徐々に浸出することが可能な銀イオンは、前記セラミック・コーティング内及び／又は前記陽極酸化された表面の層内に含まれることを特徴とするインプラント。
【請求項２】
前記金属構造物の金属はチタニウムを含んでいることを特徴とする請求項１に記載のインプラント。
【請求項３】
骨と接触する前記インプラントの前記一部分が、前記構造物に粗面を有し、前記粗面にはセラミック・コーティングが施されていることを特徴とする請求項１または２に記載のインプラント。
【請求項４】
前記セラミック・コーティング内の銀イオンの堆積量が０．１μｇ／ｃｍ２から３０μｇ／ｃｍ２であることを特徴とする請求項１から３のいずれか一項に記載のインプラント。
【請求項５】
少なくとも部分的に骨と接触させて使用することに適した金属構造物を備えたインプラントを製作する方法であって、前記金属構造物の表面の少なくとも一部に、ヒドロキシアパタイトを含有したセラミック・コーティングを、プラズマ溶射システムを用いた熱溶射によって溶着させるステップと、埋め入れ後に体液の中に徐々に浸出することが可能な銀イオンを前記セラミック・コーティングの中に組み込むステップとを含んでいることを特徴とする方法。
【請求項６】
前記金属構造物の金属はチタニウムを含んでおり、前記金属構造物は、前記セラミック・コーティングの溶着に先立って、イオン吸収材料の複数の小さな穴が存在する硬質の酸化物表面を生成するように陽極酸化処理されることを特徴とする請求項５に記載の方法。
【請求項７】
前記セラミック・コーティングの溶着に先立って、前記金属構造物の前記表面の少なくとも一部を粗化処理するステップをさらに含んでいることを特徴とする請求項５に記載の方法。
【請求項８】
前記セラミック・コーティングの溶着に先立って、銀イオンを吸収させるために陽極酸化処理された表面をイオン交換処理するステップをさらに含んでいることを特徴とする請求項６に記載の方法。
【請求項９】
前記陽極酸化処理に先立って、前記金属構造物の表面の少なくとも一部を粗化処理するステップをさらに含んでいることを特徴とする請求項６又は８に記載の方法。
【請求項１０】
前記セラミック・コーティング内の銀イオンの堆積量は、０．１μｇ／ｃｍ２から３０μｇ／ｃｍ２であることを特徴とする請求項５から９のいずれか一項に記載の方法。
【請求項１１】
前記コーティングされたインプラントを、銀イオンを含有した溶液内に浸漬することによって、銀イオンが前記溶着されたセラミック・コーティングの中にイオン交換によって組み込まれることを特徴とする請求項５から１１のいずれか一項に記載の方法。
【請求項１２】
前記セラミック・コーティングとの間の前記イオン交換は、０．００００１Ｍから０．００１Ｍの濃度の銀イオンを含有する水溶液を使用して実施されることを特徴とする請求項１１に記載の方法。
【請求項１３】
前記セラミック・コーティングが設けられない前記金属構造物の前記表面の部分は、金属箔を組み込んだマスキングで最初に覆われることを特徴とする請求項５から１２のいずれか一項に記載の方法。
【請求項１４】
請求項５から１２のいずれか一項に記載の方法によって製作されたインプラント。
【手続補正書】
【提出日】平成22年6月7日(2010.6.7)
【手続補正１】
【補正対象書類名】特許請求の範囲
【補正対象項目名】全文
【補正方法】変更
【補正の内容】
【特許請求の範囲】
【請求項１】
高温ガスにおける重金属含有量を減少させる方法であって、
前記高温ガスを吸収材上に通すことを含んでなり、
前記吸収材が、金属として測定して際に、１．５重量％を超えるパラジウムを含む、硫化されたパラジウム含有吸収材である、方法。
【請求項２】
前記吸収材が担体上に担持されてなる、請求項１に記載の方法。
【請求項３】
前記担体がγ-アルミナである、請求項２に記載の方法。
【請求項４】
前記担体上のパラジウム装填量が２重量％である、請求項２または３に記載の方法。
【請求項５】
前記硫化された吸収材が、還元雰囲気中で硫黄供給源を使用して予備硫化されてなる、請求項１〜４のいずれか一項に記載の方法。
【請求項６】
Ｈ２Ｓが使用されてなる、請求項１〜４のいずれか一項に記載の方法。
【請求項７】
前記硫化された吸収材がＰｄ４Ｓを含んでなる、請求項１〜６のいずれか一項に記載の方法。
【請求項８】
高温ガスから、重金属、水銀を吸収する方法であって、
吸収材としてＰｄ４Ｓ相を含んでなるパラジウム含有吸収材を使用することを含んでなる、方法。
【請求項９】
高温ガスから、水銀を吸収する方法であって、
硫化されたパラジウムを含む吸収材を使用し、前記水銀がＨｇＰｄ相を形成してなることを含んでなる、方法。
【手続補正書】
【提出日】平成22年5月21日(2010.5.21)
【手続補正１】
【補正対象書類名】特許請求の範囲
【補正対象項目名】全文
【補正方法】変更
【補正の内容】
【特許請求の範囲】
【請求項１】
着用者のウエスト周囲にフィットするように適合された吸収性物品であって、
吸収性素材並びに第１の端部及び第２の端部を備え、前記第１の端部及び前記第２の端部が、中央領域の反対側で長手方向に間隔を置く中央領域と、
前部ウエスト領域が、前記中央領域の第１の端部を隔てて横方向に広がり、横方向は前記長手方向に対して略直角であり、前記中央領域の第１の端部に配置された前部ウエスト領域と、
前記中央領域の前記第２の端部を隔てて前記横方向に広がり、この前記中央領域の前記第２の端部に配置された後部ウエスト領域と、
シールが弾性素材からなる層が３つ以上折り畳んだ積み重ねを備え、前記折り畳んだ積み重ねが、前記後部ウエスト領域を隔てて前記横方向に間隔を置く２つ以上の折り畳み部を備えた弾性素材からなる連続した長さ、及び一区分の反対側において折り畳み部の各対の間で前記横方向に広がる弾性素材の一区分を備え、前記後部ウエスト領域を占めるシールと、を備える、物品。
【請求項２】
着用者のウエスト周囲にフィットするように適合された吸収性物品であって、
吸収性素材並びに第１の端部及び第２の端部を備え、前記第１の端部及び前記第２の端部が、中央領域の向かい合った端において長手方向に間隔を置く中央領域と、
前部ウエスト領域が、前記中央領域の第１の端部を隔てて横方向に広がり、前記横方向は前記長手方向に対して略直角であり、前記中央領域の前記第１の端部に配置された前部ウエスト領域と、
前記中央領域の前記第２の端部を隔てて前記横方向に広がり、前記中央領域の前記第２の端部に配置された後部ウエスト領域と、
シールが複数のプリーツに集められた弾性素材の連続した長さを備え、前記プリーツが弾性素材の区分を分離する折り畳み部を備え、各プリーツの前記区分が、長手方向及び横方向によって定められる面に対して略直角に配向された前記後部ウエスト領域の一部を占めるシールと、を備える、物品。
【請求項３】
着用者のウエスト周囲にフィットするように適合された吸収性物品であって、
吸収性素材並びに第１の端部及び第２の端部を備え、前記第１の端部及び前記第２の端部が、中央領域の向かい合った端において長手方向に間隔を置く中央領域と、
前部ウエスト領域が、前記中央領域の第１の端部を隔てて横方向に広がり、横方向は前記長手方向に対して略直角であり、前記中央領域の第１の端部に配置された前部ウエスト領域と、
前記中央領域の前記第２の端部を隔てて前記横方向に広がり、前記中央領域の前記第２の端部に配置された後部ウエスト領域と、
前記シールが弾性素材の２つ以上の分離区分を備える積み重ねを備え、前記２つ以上の分離区分が前記横方向に沿って異なる長さを有し、前記後部ウエスト領域の非弾性部を占めるシールと、を備える、物品。
【手続補正書】
【提出日】平成22年3月2日(2010.3.2)
【手続補正１】
【補正対象書類名】特許請求の範囲
【補正対象項目名】全文
【補正方法】変更
【補正の内容】
【特許請求の範囲】
【請求項１】
患者の腎臓に神経変性を施す装置であって、
患者の外部に設置するように構成された電界発生器と、
血管内搬送を行うように構成されたカテーテルと、
患者の第１血管内に設置するよう構成され、前記電界発生器に電気接続された第１電極が設けられている第１素子と、
前記第１血管とは異なる患者の第２血管内に設置するよう構成され、前記電界発生器に電気接続された第２電極が設けられている第２素子とを備えており、
神経変性を施す前記装置は、前記第１素子が前記第１血管内に配置され、前記第２素子が前記第２血管内に配置されている間、前記電界発生器から前記第１電極および前記第２電極に電界を伝播させて、患者の腎臓を神経支配する神経線維を変性するように構成されていることを特徴とする装置。
【請求項２】
前記装置は、前記第１電極と前記第２電極の間で電界を伝播させるように構成されていることを特徴とする請求項１に記載の装置。
【請求項３】
前記第１電極および前記第２電極に伝播される電界は、神経線維に沿った神経交通を遮るように構成されていることを特徴とする請求項２に記載の装置。
【請求項４】
前記第１電極および前記第２電極に伝播される電界は、神経線維を少なくとも部分的に融除するように構成されていることを特徴とする請求項２に記載の装置。
【請求項５】
前記第２素子は、前記カテーテルに結合されていることを特徴とする請求項１に記載の装置。
【請求項６】
前記カテーテルは、患者の腎血管内を搬送されるように構成されていることを特徴とする請求項１に記載の装置。
【請求項７】
前記カテーテルは、患者の腎動脈内を搬送されるように構成されていることを特徴とする請求項６に記載の装置。
【請求項８】
前記第１素子は、腎動脈から枝分かれした第１分岐血管内に設置されるように構成されており、前記第２素子は、腎動脈から枝分かれした第２分岐血管内に設置されるように構成されていることを特徴とする請求項７に記載の装置。
【請求項９】
前記カテーテルは長手方向軸線を有し、該カテーテルの長手方向軸線は、腎動脈の長さ方向寸法に沿って位置決めされるように構成されていることを特徴とする請求項７に記載の装置。
【請求項１０】
前記第１電極は、前記カテーテルの長手方向軸線から横方向に間隔を隔てて配置されるように構成されていることを特徴とする請求項９に記載の装置。
【請求項１１】
前記第２電極は、前記カテーテルの長手方向軸線から横方向に間隔を隔てて配置されるように構成されていることを特徴とする請求項１０に記載の装置。
【請求項１２】
前記カテーテルは、縮小搬送形状で血管内を搬送され、拡張治療形状に展開配備されるように構成されていることを特徴とする請求項１に記載の装置。
【請求項１３】
前記第１電極および前記第２電極は、前記第１電極と患者の外部に配置された接地バッドとの間、および前記第２電極と前記接地パッドとの間で電界をモノポーラ伝播するように構成されていることを特徴とする請求項１に記載の装置。
【請求項１４】
前記第１電極および前記第２電極は、前記第１電極と前記第２電極との間で電界をバイポーラ伝播するように構成されていることを特徴とする請求項１に記載の装置。
【請求項１５】
前記カテーテルは第１カテーテルであり、前記第２素子は血管内に位置決めされた第２カテーテルに結合されていることを特徴とする請求項１に記載の装置。
【手続補正書】
【提出日】平成22年5月24日(2010.5.24)
【手続補正１】
【補正対象書類名】特許請求の範囲
【補正対象項目名】全文
【補正方法】変更
【補正の内容】
【特許請求の範囲】
【請求項１】
ガラス基板、ガラス基板の表面に設けられた銀被膜層、及び銀被膜層を覆う少なくとも一つの塗料層を含む、銅層を持たない鏡において、銀被膜層に隣接した塗料層の色が４０未満のＬ＊によって特徴づけられる鏡。
【請求項２】
銀被膜層に隣接した塗料層の色が３８未満のＬ＊によって特徴づけられる請求項１に記載の鏡。
【請求項３】
銀被膜層に隣接した塗料層の色が３５未満のＬ＊によって特徴づけられる請求項１または２に記載の鏡。
【請求項４】
銀被膜層に隣接した塗料層の色が−１０から＋１０の範囲のａ＊及び−１０から＋１０の範囲のｂ＊によって特徴づけられる請求項１から３のいずれかに記載の鏡。
【請求項５】
銀被膜層に隣接した塗料層の色が−６から＋６の範囲のａ＊及び−６から＋６の範囲のｂ＊によって特徴づけられる請求項１から４のいずれかに記載の鏡。
【請求項６】
ガラス側から見た鏡の色は、９０°の角度で測定すると鏡の反射銀被膜のいかなる他の点に対しても１．８より大きい色差ΔＥを持つ鏡の反射銀被膜の点が存在しないことによって特徴づけられる請求項１から５のいずれかに記載の鏡。
【請求項７】
銀被膜層が７０ｎｍ未満の厚さを持つ請求項１から６のいずれかに記載の鏡。
【請求項８】
銀被膜層が６５ｎｍ未満の厚さを持つ請求項１から７のいずれかに記載の鏡。
【請求項９】
銀被膜層が７００ｍｇ／ｍ２未満の銀を含む請求項１から８のいずれかに記載の鏡。
【請求項１０】
銀被膜層が６５０ｍｇ／ｍ２未満の銀を含む請求項１から９のいずれかに記載の鏡。
【請求項１１】
鏡の視感反射率が少なくとも８３％である請求項１から１０のいずれかに記載の鏡。
【請求項１２】
鏡は、１２０時間ＣＡＳＳ試験に供されたときに２５０μｍ未満の平均縁腐食を持つ請求項１から１１のいずれかに記載の鏡。
【請求項１３】
パラジウム及びスズがガラス板の表面に設けられている請求項１から１２のいずれかに記載の鏡。
【請求項１４】
スズが、塗料層に隣接している銀被膜層の表面に存在する請求項１から１３のいずれかに記載の鏡。
【請求項１５】
極微量のシランが、塗料層に隣接している銀被膜層の表面に存在する請求項１から１４のいずれかに記載の鏡。
【請求項１６】
塗料層が、実質的に鉛を含まないかまたは鉛を含まない請求項１から１５のいずれかに記載の鏡。
【請求項１７】
塗料層が実質的に黒色である請求項１から１６のいずれかに記載の鏡。
【請求項１８】
鏡が、銀被膜層を覆う単一の塗料層を含む請求項１から１７のいずれかに記載の鏡。
【請求項１９】
銅層を持たない鏡を製造するための方法において、少なくとも以下の工程を含む方法：
ガラス基板を準備する；
このガラス基板をＳｎのイオンを含む溶液と接触させる；
このガラス基板をＰｄのイオンを含む溶液と接触させる；
このガラス基板を銀めっき溶液と接触させて銀被膜を形成する；
ガラス基板上に形成された銀被膜をＳｎのイオンを含む溶液と接触させる；及び
乾燥させたら４０未満であるＬ＊により特徴づけられる色を与えるために適合された少なくとも一つの塗料層を銀被膜の上にかつそれに隣接して付与する。
【手続補正書】
【提出日】平成22年6月15日(2010.6.15)
【手続補正１】
【補正対象書類名】特許請求の範囲
【補正対象項目名】全文
【補正方法】変更
【補正の内容】
【特許請求の範囲】
【請求項１】
実体が表面と接触して配置された時に、前記表面に分子及び／又は粒子を供給することにより、前記分子及び／又は粒子を前記実体に送達できるようにするための方法であって、
材料内に実質的に結合された分子及び／又は粒子を有する前記材料であって、前記結合により前記材料内における前記分子及び／又は粒子の拡散を制限している前記材料を、供給するステップと、
電界を前記材料に印加することにより、前記材料内の前記分子及び／又は粒子を、前記材料を通過して拡散させるように解放するステップと、
超音波信号を前記材料に印加して、前記解放された分子及び／又は粒子を、前記材料を通過して前記材料の前記表面に移送して、前記実体が前記表面と接触して配置された時に、前記実体に送達できるステップと、を含む方法。
【請求項２】
請求項１に記載の方法において、前記材料はポリマー材料を含む方法。
【請求項３】
請求項２に記載の方法において、前記ポリマー材料は導電性ポリマーを含む方法。
【請求項４】
請求項２に記載の方法において、前記ポリマー材料は電気収縮性ポリマーを含む方法。
【請求項５】
請求項２から４のいずれかの請求項に記載の方法において、前記材料は水和ゲルを含む方法。
【請求項６】
請求項１から５のいずれかの請求項に記載の方法において、前記実体は、紙、プラスチック又は生体組織を含む方法。
【請求項７】
請求項６に記載の方法において、前記生体組織は、目若しくは目の部分、眼付属器、頬側若しくは歯肉粘膜、及び／又は歯、耳の鼓膜、肛門若しくは膣若しくは直腸若しくは鼻粘膜、消化管、又は皮膚を含む方法。
【請求項８】
請求項６に記載の方法において、前記生体組織は、目若しくは目の部分である方法。
【請求項９】
請求項１〜８のいずれか一項に記載の方法であって、前記電界を印加するに先立って、前記分子及び／又は粒子を前記材料に導入して前記物質内に前記分子及び／又は粒子を実質的に結合させることにより、前記分子及び／又は粒子の前記材料内における拡散を制限するステップを含む方法。
【請求項１０】
請求項１〜６のいずれか一項に記載の方法において、前記分子は、前記実体に印刷又はマーキングするためのインク又は染料を含む方法。
【請求項１１】
請求項１０に記載の方法において、前記超音波信号の強度であって、前記実体における前記印刷又はマーキングの深さを決定する前記強度を制御するステップを含む方法。
【請求項１２】
請求項３に記載の方法において、前記導電性ポリマーはポリピロールである方法。
【請求項１３】
請求項３に記載の方法において、前記導電性ポリマーは高分子電解質ポリマーである方法。
【請求項１４】
請求項２に記載の方法において、前記ポリマー材料はゲルである方法。
【請求項１５】
請求項１４に記載の方法において、前記ゲルはメタクリレイト（メタクリル酸エステル又は塩）を含む方法。